(57)【要約】【課題】視聴時間を延長するための輝度抑制を行い省電力の液晶表示装置を提供する。【解決手段】（１）の輝度１においてバッテリー残量に対する残り時間が「視聴残時間（ｔ１）」の「３分」となったときに、（２）のステップ１に示す「延長時間（ｔ２）」の「１０分」まで映像を表示できる輝度レベルでＬＥＤバックライトに「１０」を表示する。次に（２）のステップ２に示す「延長時間（ｔ２）」の「１０分」まで映像を表示できる輝度レベルに変更して映像を表示する。次に（１）の輝度２において、バッテリー残量に対する残り時間が「視聴残時間（ｔ１）」の「３分」となったときに、（２）のステップ３に示す「延長時間（ｔ２）」の「１０分」まで映像を表示できる輝度レベルでＬＥＤバックライトに「１０」を表示する。次に（２）のステップ４に示す「延長時間（ｔ２）」の「１０分」まで映像を表示できる輝度レベルに変更して映像を表示する。【選択図】図４
2013130698.tif 000002
【特許請求の範囲】
【請求項１】
複数のＬＥＤを配置してなる直下型ＬＥＤバックライトを備えたバッテリー駆動の液晶表示装置において、
バッテリー残量が所定の駆動可能残量以下に達したときに、前記複数のＬＥＤを駆動条件の輝度に制御して駆動可能時間の数字を表示することを特徴とする液晶表示装置。
【請求項２】
前記駆動条件を変更した場合の前記駆動可能時間は、設定される延長時間であることを特徴とする請求項１に記載の液晶表示装置。
【請求項３】
前記延長時間は、繰り返し有りが設定されたときに、前記バッテリー残量により輝度が調整できるまで繰り返されることを特徴とする請求項１または請求項２に記載の液晶表示装置。
【請求項４】
所定の前記駆動可能時間、前記駆動条件を変更した場合の前記駆動可能時間、及び繰り返し有無の設定を入力する設定入力手段を備えることを特徴とする請求項３に記載の液晶表示装置。
【請求項５】
前記バッテリー残量が所定の前記駆動可能残量以下に達したときに、音量を抑制する音量抑制手段を備えることを特徴とする請求項１から請求項４のいずれか１項に記載の液晶表示装置。
【請求項６】
複数のＬＥＤを配置してなる直下型ＬＥＤバックライトを備えたバッテリー駆動の液晶表示装置において、
バッテリー残量が所定の駆動可能残量以下に達したときに、前記複数のＬＥＤを駆動条件の輝度に制御して駆動可能時間の数字を表示することを特徴とする液晶表示装置の省電力表示方法。
【請求項７】
前記数字を表示した後に、前記数字の輝度レベルと同じ輝度レベルに自動的に変更して映像を表示することを特徴とする請求項６に記載の液晶表示装置の省電力表示方法。
【発明の詳細な説明】
【技術分野】
【０００１】
本発明は、液晶ディスプレイパネルのＬＥＤバックライトの輝度を調整できる液晶表示装置に係り、特に液晶ディスプレイパネルの背面にＬＥＤを配置してＬＥＤの光を液晶ディスプレイパネルに直接照射する直下型のバックライト方式を用いるＬＥＤバックライトを備えた液晶表示装置に関する。
【背景技術】
【０００２】
液晶ディスプレイパネルのバックライト方式としては、液晶ディスプレイパネルの背面に複数のＬＥＤを配置してＬＥＤの光を液晶ディスプレイパネルに直接照射する直下型のＬＥＤバックライト方式がある。この直下型のＬＥＤバックライト方式では、映像の濃淡に応じてＬＥＤ毎または複数のＬＥＤからなるＬＥＤエリア毎に輝度を調整することで、バックライトに部分的に明暗を付けるローカルディミング（局所的調光）を行うことができる。
【０００３】
また、このようなＬＥＤバックライトを備えた液晶ディスプレイパネルを有するテレビジョン装置（以下、「液晶ＴＶ装置」という）において、バッテリーで駆動されどこでも視聴できる液晶ＴＶ装置が普及している。しかし、このようなバッテリーで駆動される液晶ＴＶ装置では、視聴している途中にバッテリーが切れてしまうことがあった。このため、ユーザーは、液晶ＴＶ装置から表示されるバッテリー切れのＯＳＤ（On-Screen Display）メッセージを確認すると、視聴時間を延長したい場合には、ユーサー自身で明るさ調整のＯＳＤ画面を表示し、そのＯＳＤ画面を操作して明るさを抑えていた。例えば、図７（１）に示すように、液晶ＴＶ装置６００はバッテリー残量が少なくなったときに、「バッテリー残量が少なくなりましたので、明るさを抑えて下さい。」のＯＳＤメッセージ６１０を表示する。これを見たユーザーは、リモコンを操作して図７（２）に示す明るさを調整するＯＳＤバー６２０を表示し、ＯＳＤバー６２０の設定値（＋１２）を図７（３）に示すように設定値（０）に変更することで明るさを抑えていた。このように、ユーザー自身が手動で明るさを抑える操作を行い、液晶ＴＶ装置の視聴時間を延ばさなければならなかった。
【０００４】
液晶表示装置の電力の消費を低減させる技術として特開２０１０−１６０４６９号公報（特許文献１）と特開２０１１−３３９７８号公報（特許文献２）を挙げることができる。特許文献１に開示の技術では、使用者の要求により選択された映像を表示するために必要となる予想消費電力とバッテリー残量とを比較して予想消費電力がバッテリー残量を超える場合、選択された映像の赤色、緑色及び青色階調を変更して映像の輝度を制御することによって、バッテリー残量が不足している場合でも使用者が要求した映像を最後まで表示する表示装置及びその駆動方法が記載されている。また、特許文献２に開示の技術では、全表示画面領域を複数の表示区画に分割し、全表示画面領域よりも小さな縮小表示領域に映像を表示し、縮小表示領域の少なくとも一部を包含する表示区画についてはエリアアクティブバックライトとし、縮小表示領域を包含しない表示区画についてはバックライトを消灯することで、消費電力を低減する液晶映像表示装置及びその表示制御方法が記載されている。
【先行技術文献】
【特許文献】
【０００５】
【特許文献１】特開２０１０−１６０４６９号公報
【特許文献２】特開２０１１−３３９７８号公報
【発明の概要】
【発明が解決しようとする課題】
【０００６】
特許文献１に開示の技術では、映像の輝度を制御することで使用者が要求した映像を最後まで表示されるように消費電力を削減することができる。しかし、ユーザーは、要求した映像については最後まで表示することができるが、次に途中まででも表示したい映像があった場合に、バッテリー残量がなくなるまでの残り表示時間を知ることができない。また、特許文献２に開示の技術では、映像を縮小して小さい表示領域のみに表示し、それ以外の表示領域のバックライトを消灯することで、消費電力を低減することができる。しかし、液晶映像表示装置がバッテリーから電力を供給されていた場合に、ユーザーは液晶映像表示装置のバッテリー残量がなくなるまでの残り表示時間を知ることができない。
【０００７】
本発明はこのような状況に鑑みてなされたものであり、上記課題を解決できる液晶表示装置を提供することを目的とする。
【課題を解決するための手段】
【０００８】
本発明の液晶表示装置は、複数のＬＥＤを配置してなる直下型ＬＥＤバックライトを備えたバッテリー駆動の液晶表示装置において、バッテリー残量が所定の駆動可能残量以下に達したときに、前記複数のＬＥＤを駆動条件の輝度に制御して駆動可能時間の数字を表示することを特徴としている。
また、本発明の液晶表示装置は、前記駆動条件を変更した場合の前記駆動可能時間は、設定される延長時間であることを特徴としている。
また、本発明の液晶表示装置の前記延長時間は、繰り返し有りが設定されたときに、前記バッテリー残量により輝度が調整できるまで繰り返されることを特徴としている。
また、本発明の液晶表示装置は、所定の前記駆動可能時間、前記駆動条件を変更した場合の前記駆動可能時間、及び繰り返し有無の設定を入力する設定入力手段を備えることを特徴としている。
また、本発明の液晶表示装置の前記バッテリー残量が所定の前記駆動可能残量以下に達したときに、音量を抑制する音量抑制手段を備えることを特徴としている。
また、本発明の液晶表示装置の省電力表示方法は、複数のＬＥＤを配置してなる直下型ＬＥＤバックライトを備えたバッテリー駆動の液晶表示装置において、バッテリー残量が所定の駆動可能残量以下に達したときに、前記複数のＬＥＤを駆動条件の輝度に制御して駆動可能時間の数字を表示することを特徴としている。
また、本発明の液晶表示装置の省電力表示方法は、前記数字を表示した後に、前記数字の輝度レベルと同じ輝度レベルに自動的に変更して映像を表示することを特徴としている。
【発明の効果】
【０００９】
本発明により、バッテリー残量がなくなるまでの残り時間をバックライトにより通知することで省電力を行い、表示時間を延ばすための明るさの抑制を自動で行うことができ、またユーザーはバッテリー残量がなくなるまでの残りの表示時間を知ることができる液晶表示装置を提供する。
【図面の簡単な説明】
【００１０】
【図１】本発明の実施形態に係る液晶ＴＶ装置の構成を示す図である。
【図２】本発明の実施形態に係る視聴延長設定ＯＳＤ画面を示す図である。
【図３】本発明の実施形態に係る視聴延長設定ＯＳＤ画面における「繰り返し（無）」の省電力表示方法を説明する図である。
【図４】本発明の実施形態に係る視聴延長設定ＯＳＤ画面における「繰り返し（有）」の省電力表示方法を説明する図である。
【図５】本発明の実施形態に係る消費電力データテーブルの構成を示す図である。
【図６】本発明の実施形態に係る視聴延長処理のフローチャートである。
【図７】従来の液晶表示装置におけるバッテリー残量が少なくなったときの明るさを抑制する方法を示す図である。
【発明を実施するための形態】
【００１１】
以下、本発明を実施するための形態（以下、「実施形態」という）を、図面を参照して説明する。実施形態の液晶ＴＶ装置１００は、直下型のＬＥＤバックライトを備えるとともに、ローカルディミング機能が搭載されてＬＥＤ毎または複数のＬＥＤからなるＬＥＤエリア毎に輝度を調整することができる。実施形態の液晶ＴＶ装置１００は、複数のＬＥＤを配置してなる直下型ＬＥＤバックライトを備えたバッテリー駆動の液晶表示装置において、バッテリー残量が所定の駆動可能残量以下に達したときに、複数のＬＥＤを駆動条件の輝度に制御して駆動可能時間の数字を表示し、その後更にその数字の輝度レベルと同じ輝度レベルに自動的に変更して映像を表示するものである。
【００１２】
実施形態における液晶ＴＶ装置１００の各機能について、図１を用いて説明する。液晶ＴＶ装置１００のデジタルチューナ１０２は、アンテナ１０１にて受信される放送電波を適宜選択的に復調してトランスポートストリームパケット（以下、「ＴＳパケット」という）をＴＳデコーダ１０３に出力する。ＴＳデコーダ１０３は、このＴＳパケットから所望の放送番組に関する音声データ及び映像データを抽出すると、音声データを音声処理部１０４に出力し、映像データを映像処理部１０６に出力する。抽出された音声データ及び映像データは、ＭＰＥＧ−２によって符号化されているデジタルデータである。音声処理部１０４は符号化された音声データを復号化し、復号化された音声データはスピーカなどの音声出力装置１０５に出力する。音声出力装置１０５は、復号化された音声データを入力すると音声を出力する。また、映像処理部１０６は符号化された映像データを復号化し、復号化された映像データは表示処理部１０７に出力する。表示処理部１０７は、復号化された映像データを入力すると、ＯＳＤ処理部１０８にて生成されるＯＳＤ表示のための映像データを重ね合わせる。そして、表示処理部１０７は、重ね合わせ後の映像データをＬＥＤエリアアクティブ制御部１０９に出力し、ＬＥＤ制御信号をＬＥＤコントローラ１１０に出力する。
【００１３】
ＬＥＤエリアアクティブ制御部１０９は、表示処理部１０７から映像データを入力すると、映像データから輝度データを取り出しＬＥＤデータに設定し、このＬＥＤデータをＬＥＤコントローラ１１０に出力する。また、ＬＥＤエリアアクティブ制御部１０９は、映像データを表示可能な液晶ディスプレイ（以下、「ＬＣＤ」という）データに変換し、ＬＣＤコントローラ１１１に出力する。ＬＥＤコントローラ１１０は、表示処理部１０７からＬＥＤ制御信号を入力し、ＬＥＤエリアアクティブ制御部１０９からＬＥＤデータを入力すると、ＬＣＤモジュール１１２のＬＥＤバックライト１１４に搭載されているＬＥＤドライバに対して、ローカルディミング機能によりＬＥＤバックライト１１４の輝度制御、及びＬＥＤのＲＧＢ制御などのＬＥＤドライバ制御を行う。ＬＥＤコントローラ１１０は、このローカルディミング機能を用いることで、ＬＥＤバックライト１１４のＬＥＤ毎に輝度を調整することができる。ＬＣＤコントローラ１１１は、ＬＥＤエリアアクティブ制御部１０９からＬＣＤデータを入力すると、映像の１ライン分のデータを順に取り出し、ＬＣＤモジュール１１２のＬＣＤパネル１１３に搭載されているタイミングコントローラ（以下、「Ｔ−ＣＯＮ」という）に対して、ＬＣＤパネル１１３の最上部ラインから順に書き込む制御を行う。ＬＣＤモジュール１１２は、ＬＣＤコントローラ１１１及びＬＥＤコントローラ１１０により制御されることで、映像が表示される。ＬＣＤパネル１１３は、ＬＣＤコントローラ１１１により映像の１ライン分のデータが順に書き込まれる。ＬＥＤバックライト１１４は、ＬＥＤコントローラ１１０によりＬＥＤの輝度制御、及びＬＥＤのＲＧＢ制御が行われる。
【００１４】
マイコン１１５は、液晶ＴＶ装置１００全体の制御を行う。マイコン１１５は、ユーザーによるリモコン１１７の操作に基づき放送チャンネルを切り替えながら、各部の動作制御や状態検出などを行う。また、マイコン１１５は、視聴延長の設定を行う視聴延長設定ＯＳＤ画面１１２ａの表示と、視聴延長設定ＯＳＤ画面１１２ａに設定を行うことができる。視聴延長設定ＯＳＤ画面１１２ａについては、後述する。また、マイコン１１５は、視聴時間や延長時間の処理を行う視聴延長処理部１１５ａを備えている。メモリ１１６はマイコン１１５が実行するプログラムやこのプログラムにて用いられるデータを記憶し、また液晶ＴＶ装置１００の基本機能を実現するためのプログラムを記憶している。メモリ１１６には、ＬＥＤバックライト１１４の現在の輝度及び視聴延長設定ＯＳＤ画面１１２ａから設定される視聴時間、延長時間、及び繰り返し有無を記憶する視聴延長設定データ１１６ａと、輝度に対する消費電力が設定されている消費電力データテーブル１１６ｂが記憶されている。消費電力データテーブル１１６ｂの構成については、後述する。リモコン１１７は、ユーザーによる操作ボタンからの操作に応じて赤外線による操作信号をリモコン受光部１１８に送信する。リモコン受光部１１８は、リモコン１１７から操作信号を受光する。バッテリー電源１１９は、電力供給用電源である。電源制御部１２０は、バッテリー電源１１９を制御することで電力が必要な箇所へ電力を供給する。アンテナ１０１、リモコン１１７、及びバッテリー電源１１９を除く上記の各部はシステムバス１２１により接続されている。
【００１５】
次に、図２に示す視聴延長設定ＯＳＤ画面１１２ａについて説明する。視聴延長設定ＯＳＤ画面１１２ａは、ユーザーがリモコン１１７を操作することでＬＣＤモジュール１１２に表示される画面である。ユーザーは、視聴延長設定ＯＳＤ画面１１２ａから視聴延長の設定を行うことができる。視聴延長設定ＯＳＤ画面１１２ａには、「視聴残時間（ｔ１）」、「延長時間（ｔ２）」、及び「繰り返し」の項目が設けられている。「視聴残時間（ｔ１分）」のエリアｅ１には、現在の輝度で映像をＬＣＤモジュール１１２に表示したときに、バッテリー電源１１９の放電電圧が「０」になる（以下、「バッテリーが切れる」という）前の余裕時間を設定する。また、「延長時間（ｔ２分）」のエリアｅ２には、「視聴残時間（ｔ１）」に達したときに視聴を延長したい時間を設定する。「視聴残時間（ｔ１分）」に到達すると、「延長時間（ｔ２分）」の間は映像が表示可能な輝度に自動的に調整され、ローカルディミング機能によりＬＥＤバックライト１１４に「延長時間（ｔ２分）」が表示される。「繰り返し」は、「延長時間（ｔ２分）」を用いて視聴の延長を繰り返す場合に「繰り返し」をポイントする。「繰り返し」がポイントされると、「繰り返し」のエリアｅ３に「有」が表示される。繰り返し有りの場合、繰り返し可能になるよう輝度が調整されるようにすると好適である。視聴延長設定ＯＳＤ画面１１２ａから設定される「視聴残時間（ｔ１）」、「延長時間（ｔ２）」、及び「繰り返し」のデータは、視聴開始前、あるいは視聴中の任意のタイミングで設定されメモリ１１６の視聴延長設定データ１１６ａに記憶される。
【００１６】
次に、視聴延長設定ＯＳＤ画面１１２ａの設定例とその設定に対する映像の省電力表示方法について説明する。まず、図３を用いて視聴延長設定ＯＳＤ画面１１２ａにおける「繰り返し（無）」の省電力表示方法を説明する。図３に示す「繰り返し（無）」の省電力表示方法は、視聴延長設定ＯＳＤ画面１１２ａにおいて「視聴残時間（ｔ１）」に「３分」、「延長時間（ｔ２）」に「１０分」、及び「繰り返し」を「無」に設定した場合の（設定１）と、「視聴残時間（ｔ１）」に「３分」、「延長時間（ｔ２）」に「２０分」、及び「繰り返し」を「無」に設定した場合の（設定２）の例である。（設定１）では、図３（１）に示すように現在の輝度レベルで視聴した場合にバッテリー電源１１９の放電電圧が「０」となるまでの残り時間が「視聴残時間（ｔ１）」の「３分」となったときに、図３（２）に示すように「延長時間（ｔ２）」の「１０分」の間は映像を表示できる輝度レベルでローカルディミング機能によりＬＥＤバックライト１１４に数字「１０」を表示する。そして、この「１０」を数秒間表示すると、その後図３（２）に示すように「延長時間（ｔ２）」の「１０分」の間は映像を表示できる輝度レベル（数字「１０」の輝度レベルと同じ輝度レベル）に自動的に変更して映像を表示する。同様に、（設定２）では、図３（１）に示すように現在の輝度レベルで視聴した場合にバッテリー電源１１９の放電電圧が「０」となるまでの残り時間が「視聴残時間（ｔ１）」の「３分」となったときに、図３（３）に示すように「延長時間（ｔ２）」の「２０分」の間は映像を表示できる輝度レベルでローカルディミング機能によりＬＥＤバックライト１１４に数字「２０」を表示する。そして、この「２０」を数秒間表示すると、その後図３（３）に示すように「延長時間（ｔ２）」の「２０分」の間は映像を表示できる輝度レベル（数字「２０」の輝度レベルと同じ輝度レベル）に自動的に変更して映像を表示する。
【００１７】
次に、図４を用いて視聴延長設定ＯＳＤ画面１１２ａにおける「繰り返し（有）」の省電力表示方法を説明する。図４に示す「繰り返し（有）」の省電力表示方法は、視聴延長設定ＯＳＤ画面１１２ａにおいて「視聴残時間（ｔ１）」に「３分」、「延長時間（ｔ２）」に「１０分」、及び「繰り返し」を「有」に設定した場合の例である。図４（１）の輝度１の状態において、この輝度１で視聴した場合にバッテリー電源１１９の放電電圧が「０」となるまでの残り時間が「視聴残時間（ｔ１）」の「３分」となったときに、図４（２）のステップ１に示すように「延長時間（ｔ２）」の「１０分」の間は映像を表示できる輝度レベルでローカルディミング機能によりＬＥＤバックライト１１４に数字「１０」を表示する。次いで、この「１０」を数秒間表示すると、図４（２）のステップ２に示すように「延長時間（ｔ２）」の「１０分」の間は映像を表示できる輝度レベル（ステップ１の数字「１０」の輝度レベルと同じ輝度レベル）に自動的に変更して映像を表示する。次いで、図４（１）の輝度２の状態において、この輝度２で視聴した場合にバッテリー電源１１９の放電電圧が「０」となるまでの残り時間が「視聴残時間（ｔ１）」の「３分」となったときに、図４（２）のステップ３に示すように「延長時間（ｔ２）」の「１０分」の間は映像を表示できる輝度レベルでローカルディミング機能によりＬＥＤバックライト１１４に数字「１０」を表示する。次いで、この「１０」を数秒間表示すると、図４（２）のステップ４に示すように「延長時間（ｔ２）」の「１０分」の間は映像を表示できる輝度レベル（ステップ３の数字「１０」の輝度レベルと同じ輝度レベル）に自動的に変更して映像を表示する。
【００１８】
次に、図５を用いてメモリ１１６の消費電力データテーブル１１６ｂの構成について説明する。図５に示すように消費電力データテーブル１１６ｂは、「輝度」と「消費電力（Ｗ）」の項目が設けられている。「輝度」には、液晶ＴＶ装置１００において調整可能な明るさレベルが設定されている。「消費電力（Ｗ）」には、「輝度」のレベルに対応する液晶ＴＶ装置１００が１秒間に消費する電力（Ｗ）が設定されている。例えば、液晶ＴＶ装置１００において、「輝度」のレベルが「１４」であるときには、「３４０Ｗ」の電力が１秒間に消費される。
【００１９】
次に、本発明の実施形態における視聴延長処理部１１５ａが実行する視聴延長処理について、図６を用いて説明する。マイコン１１５が視聴開始前にメモリ１１６の視聴延長設定データ１１６ａに「視聴残時間（ｔ１）」、「延長時間（ｔ２）」、及び「繰り返し」のデータが記憶されていることをマイコン１１５が検出すると、視聴開始と同時に視聴延長処理部１１５ａを起動する。または、視聴中に任意のタイミングでメモリ１１６の視聴延長設定データ１１６ａに「視聴残時間（ｔ１）」、「延長時間（ｔ２）」、及び「繰り返し」のデータが記憶されたことをマイコン１１５が検出すると、視聴延長処理部１１５ａを起動する。この起動により、視聴延長処理部１１５ａが視聴延長処理を開始する。
【００２０】
まず、ステップＳ１０において、視聴延長処理部１１５ａは、視聴延長設定ＯＳＤ画面１１２ａから設定された視聴延長設定データ１１６ａの「視聴残時間（ｔ１）」、「延長時間（ｔ２）」、及び「繰り返しの有無」を入力する。
【００２１】
次いでステップＳ２０において、視聴延長処理部１１５ａは、一定時間待ち状態とする。
【００２２】
次いでステップＳ３０において、視聴延長処理部１１５ａは、視聴延長設定データ１１６ａの現在の輝度と、消費電力データテーブル１１６ｂを入力し、消費電力データテーブル１１６ｂから現在の輝度に対応する消費電力（Ｗ）を取り出す。そして、視聴延長処理部１１５ａは、バッテリー電源１１９のバッテリー残量を取り出すと、消費電力（Ｗ）とバッテリー残量から現在の視聴残時間を算出する。例えば、現在の輝度が「１４」で、消費電力データテーブル１１６ｂの輝度「１４」に対応する消費電力が３４０（Ｗ）、バッテリー電源１１９のバッテリー残量が２０４（ＫＷ秒）であれば、２０４（ＫＷ秒）÷３４０（Ｗ）＝６００(秒)となり、この６００(秒)である１０（分）が現在の視聴残時間となる。
【００２３】
次いでステップＳ４０において、視聴延長処理部１１５ａは、ステップＳ３０により算出された現在の視聴残時間が「視聴残時間（ｔ１）」以下であるかを判定する。現在の視聴残時間が「視聴残時間（ｔ１）」以下であるとき（ステップＳ４０のＹｅｓ）は、「延長時間（ｔ２）」まで視聴できる輝度で「延長時間（ｔ２）」を表示するステップＳ５０に進む。また、現在の視聴残時間が「視聴残時間（ｔ１）」以下でないとき（ステップＳ４０のＮｏ）は、一定時間待ち状態とするステップＳ２０に戻る。
【００２４】
次いでステップＳ５０において、視聴延長処理部１１５ａは、ステップＳ３０で入力したバッテリー電源１１９のバッテリー残量により、「延長時間（ｔ２）」まで視聴できる電力（Ｗ）を算出する。そして、消費電力データテーブル１１６ｂから消費電力（Ｗ）に対応する輝度を取り出し、その輝度で「延長時間（ｔ２）」に対応する数字（例えば「１０」）をローカルディミング機能によりＬＥＤバックライト１１４に表示する。この「延長時間（ｔ２）」が表示される時間は、予め決められた時間（秒）とする。例えば、バッテリー電源１１９のバッテリー残量が９０（ＫＷ秒）、「延長時間（ｔ２）」が５分（３００秒）であれば、９０（ＫＷ秒）÷３００（秒）＝３００（Ｗ）が「延長時間（ｔ２）」における１秒間の消費電力（Ｗ）となる。そして、消費電力データテーブル１１６ｂにおいて、消費電力３００（Ｗ）に対応する輝度は「６」であるので、この輝度「６」で「延長時間（ｔ２）」に対応する数字（例えば「１０」）が表示される。
【００２５】
次いでステップＳ６０において、視聴延長処理部１１５ａは、ステップＳ５０で求めた輝度を視聴延長設定データ１１６ａの現在の輝度に設定するとともに、表示処理部１０７に出力する。表示処理部１０７は輝度を入力すると、ＬＥＤコントローラ１１０によりＬＥＤバックライト１１４にこの輝度を設定する。
【００２６】
次いでステップＳ７０において、視聴延長処理部１１５ａは、一定時間待ち状態とする。
【００２７】
次いでステップＳ８０において、視聴延長処理部１１５ａは、視聴延長設定データ１１６ａから現在の輝度を入力し、消費電力データテーブル１１６ｂにおいて現在の輝度に対応する消費電力（Ｗ）を取り出す。そして、視聴延長処理部１１５ａは、バッテリー電源１１９のバッテリー残量を取り出すと、消費電力（Ｗ）とバッテリー残量から「延長時間（ｔ２）」における現在の視聴残時間を算出する。
【００２８】
次いでステップＳ９０において、視聴延長処理部１１５ａは、ステップＳ８０により算出された「延長時間（ｔ２）」における現在の視聴残時間が「視聴残時間（ｔ１）」以下であるかを判定する。「延長時間（ｔ２）」における現在の視聴残時間が「視聴残時間（ｔ１）」以下であるとき（ステップＳ９０のＹｅｓ）は、「繰り返し（有）」となっているかを判定するステップＳ１００に進む。また、「延長時間（ｔ２）」における現在の視聴残時間が「視聴残時間（ｔ１）」以下でないとき（ステップＳ９０のＮｏ）は、一定時間待ち状態とするステップＳ７０に戻る。
【００２９】
次いでステップＳ１００において、視聴延長処理部１１５ａは、「繰り返し（有）」となっているかを判定する。「繰り返し（有）」となっているとき（ステップＳ１００のＹｅｓ）は、次の「延長時間（ｔ２）」まで視聴できる輝度を算出するステップＳ１１０に進む。また、「繰り返し（有）」となっていないとき（ステップＳ１００のＮｏ）は、一定時間待ち状態とするステップＳ１３０に進む。
【００３０】
次いでステップＳ１１０において、視聴延長処理部１１５ａは、バッテリー電源１１９のバッテリー残量を取り出すと、このバッテリー電源１１９のバッテリー残量と「延長時間（ｔ２）」により、「延長時間（ｔ２）」まで視聴できる消費電力（Ｗ）を算出する。例えば、バッテリー電源１１９のバッテリー残量が１０（ＫＷ秒）、「延長時間（ｔ２）」が５分（３００秒）であれば、１５（ＫＷ秒）÷３００（秒）＝５０（Ｗ）が「延長時間（ｔ２）」における１秒間の消費電力（Ｗ）となる。
【００３１】
次いでステップＳ１２０において、視聴延長処理部１１５ａは、消費電力データテーブル１１６ｂにおいて、ステップＳ１１０で算出した消費電力（Ｗ）に対応する輝度が設定されているかを判定する。消費電力（Ｗ）に対応する輝度が設定されているとき（ステップＳ１２０のＹｅｓ）は、「延長時間（ｔ２）」まで視聴できる輝度で「延長時間（ｔ２）」を表示するステップＳ５０に戻る。また、消費電力（Ｗ）に対応する輝度が設定されていないとき（ステップＳ１２０のＮｏ）は、一定時間待ち状態とするステップＳ１３０に進む。例えば、「延長時間（ｔ２）」まで視聴できる１秒間の消費電力（Ｗ）が１９０（Ｗ）となり、消費電力データテーブル１１６ｂにおいて、１９０（Ｗ）に対応する輝度が「−１５」であるときには、消費電力（Ｗ）に対応する輝度が設定されているので「延長時間（ｔ２）」まで視聴できる。また、「延長時間（ｔ２）」まで視聴できる１秒間の消費電力（Ｗ）が５０（Ｗ）となり、消費電力データテーブル１１６ｂにおいて、５０（Ｗ）に対応する輝度が設定されていないときには、消費電力（Ｗ）に対応する輝度が設定されていないので「延長時間（ｔ２）」まで視聴不可となる。
【００３２】
次いでステップＳ１３０において、視聴延長処理部１１５ａは、一定時間待ち状態とする。
【００３３】
次いでステップＳ１４０において、視聴延長処理部１１５ａは、「延長時間（ｔ２）」が経過したかを判定する。「延長時間（ｔ２）」が経過しているとき（ステップＳ１４０のＹｅｓ）は、液晶ＴＶ装置１００の電源をオフするステップＳ１５０に進む。また、「延長時間（ｔ２）」を経過していないとき（ステップＳ１４０のＮｏ）は、一定時間待ち状態とするステップＳ１３０に戻る。
【００３４】
次いでステップＳ１５０において、視聴延長処理部１１５ａは、電源制御部１２０に電源オフの指令を出力すると、電源制御部１２０によりバッテリー電源１１９がオフとなることで液晶ＴＶ装置１００が停止し、視聴延長処理が終了する。
【００３５】
なお、視聴延長処理のステップＳ１５０において、バッテリー電源１１９をオフするようにしたが、ステップＳ１３０からステップＳ１５０を実行せずに終了させることで、自動的に液晶ＴＶ装置１００の電源を切断することも可能である。また、バッテリー残量に基づいて現在の輝度で視聴できる残り時間をローカルディミング機能によりＬＥＤバックライト１１４に表示し、更に延長したい場合には輝度を抑制することで延長して表示できるようにする液晶ＴＶ装置１００の実施形態について説明したが、輝度を抑制するだけでなく音量も抑制することも可能である。
【００３６】
また、視聴延長設定ＯＳＤ画面１１２ａから「視聴残時間（ｔ１）」、「延長時間（ｔ２）」、及び「繰り返し」を設定する方法として、例えば、リモコン１１７の専用ボタンが１度押されたときに、視聴延長設定ＯＳＤ画面１１２ａが表示され、「視聴残時間（ｔ１）」、「延長時間（ｔ２）」、及び「繰り返し（有無）」が設定されていればその設定が有効となり、この専用ボタンをもう一度押すと、「延長時間（ｔ２）」が１０分→２０分→・・・と１０分刻みに設定値が変更される。また、視聴延長設定ＯＳＤ画面１１２ａに「視聴残時間（ｔ１）」、「延長時間（ｔ２）」、及び「繰り返し」が設定されていなければ、リモコン１１７からこれらの設定を行い、また専用ボタンをもう一度押すことで、「延長時間（ｔ２）」についても１０分→２０分→・・・と１０分刻みとなるように設定することも可能である。更に、視聴延長設定ＯＳＤ画面１１２ａを表示せずに、リモコン１１７の操作のみで「視聴残時間（ｔ１）」、「延長時間（ｔ２）」、及び「繰り返し」を設定することも可能である。
【００３７】
以上の実施形態については液晶ＴＶ装置について説明したが、このような液晶ＴＶ装置である液晶表示装置において、複数のＬＥＤを配置してなる直下型ＬＥＤバックライトを備えたバッテリー駆動の液晶表示装置において、バッテリー残量が所定の駆動可能残量以下に達したときに、複数のＬＥＤを駆動条件の輝度に制御して駆動可能時間の数字を表示し、その後更にその数字の輝度レベルと同じ輝度レベルに自動的に変更して映像を表示するものである。このように、駆動可能時間をＯＳＤ表示するのでなく、複数のＬＥＤを駆動条件の輝度に制御した駆動可能時間の数字を表示するので省電力となる。また、表示時間を延ばすための明るさの抑制を自動で行うことができる。また、ユーザーは、バッテリー残量がなくなるまで繰り返し延長して映像を表示することができ、更に延長時間に映像を表示しているときにも残りの視聴時間を知ることができる。また、ユーザーは表示される延長時間の数字の明るさを確認することで、次の延長時間における映像の明るさを確認することができるので、次の延長を行うかまたは中止するか、もしくはＡＣ電源コードを繋いで標準としている明るさで映像を表示するかなどの選択が可能となる。
【００３８】
以上、具体的な実施形態により本発明を説明したが、上記の実施形態は本発明の例示であり、それらの各構成要素の組み合わせにいろいろな変形例が可能なこと、またそうした変形例も本発明の範囲にあることは当業者に理解されるところである。
【産業上の利用可能性】
【００３９】
本発明は、液晶表示装置に好適であるが、液晶表示器を有するあらゆる装置に適用可能である。
【符号の説明】
【００４０】
１００・・・・・液晶ＴＶ装置
１０１・・・・・アンテナ
１０２・・・・・デジタルチューナ
１０３・・・・・ＴＳデコーダ
１０４・・・・・音声処理部
１０５・・・・・音声出力部
１０６・・・・・映像処理部
１０７・・・・・表示処理部
１０８・・・・・ＯＳＤ処理部
１０９・・・・・ＬＥＤエリアアクティブ制御部
１１０・・・・・ＬＥＤコントローラ
１１１・・・・・ＬＣＤコントローラ
１１２・・・・・ＬＣＤモジュール
１１２ａ・・・・視聴延長設定ＯＳＤ画面
１１３・・・・・ＬＣＤパネル
１１４・・・・・ＬＥＤバックライト
１１５・・・・・マイコン
１１５ａ・・・・視聴延長処理部
１１６・・・・・メモリ
１１６ａ・・・・視聴延長設定データ
１１６ｂ・・・・消費電力データテーブル
１１７・・・・・リモコン
１１８・・・・・リモコン受光部
１１９・・・・・バッテリー電源
１２０・・・・・電源制御部
１２１・・・・・システムバス
６００・・・・・液晶ＴＶ装置
６１０・・・・・ＯＳＤメッセージ
６２０・・・・・ＯＳＤバー
【図１】
2013130698.tif 000003
【図２】
2013130698.tif 000004
【図３】
2013130698.tif 000005
【図４】
2013130698.tif 000006
【図５】
2013130698.tif 000007
【図６】
2013130698.tif 000008
【図７】
2013130698.tif 000009